(57)【要約】【課題】注出口を介してグラス等に液体食品を円滑に注出することができ、注出口部分に唇を当てて液体食品を容易に飲用することができるようにする。【解決手段】包材を成形することによって形成された包装容器本体３０と、両端が開口する注出口を備え、前記包装容器本体３０の頂壁３７に装着された注出口部分とを有する。そして、該注出口部分は、前記注出口が内方に形成された筒状部、及び該筒状部の下端に形成され、前記頂壁３７に融着されたフランジ部８９を備える。また、該フランジ部８９の前端縁９６は、頂壁３７の前端縁９４より前方に突出させて形成される。この場合、フランジ部８９の前端縁９６が、頂壁３７の前端縁９４より前方に突出させて形成されるので、注出口部分をその分大きくすることができる。その結果、注出口の径を大きくすることができる。【選択図】          図１
2004359321.tif 000002
【特許請求の範囲】
【請求項１】
（ａ）包材を成形することによって形成された包装容器本体と、
（ｂ）両端が開口する注出口を備え、前記包装容器本体の頂壁に装着された注出口部分とを有するとともに、
（ｃ）該注出口部分は、前記注出口が内方に形成された筒状部、及び該筒状部の下端に形成され、前記頂壁に融着されたフランジ部を備え、
（ｄ）該フランジ部の前端縁は、頂壁の前端縁より前方に突出させて形成されることを特徴とする包装容器。
【請求項２】
（ａ）前記頂壁に帯状のシール部分が形成され、
（ｂ）前記注出口部分は、前記頂壁におけるシール部分と前端縁との間の前半面に装着される請求項１に記載の包装容器。
【請求項３】
前記注出口部分に対して着脱自在に蓋部分が配設される請求項１又は２に記載の包装容器。
【請求項４】
（ａ）前記頂壁の前端縁の近傍の所定の位置に開口穴が形成され、
（ｂ）該開口穴と前記注出口とを連通させて前記注出口部分が装着される請求項１〜３のいずれか１項に記載の包装容器。
【請求項５】
前記フランジ部の前端縁は、所定の量だけ垂下させられる請求項１〜４のいずれか１項に記載の包装容器。
【発明の詳細な説明】
【０００１】
【発明の属する技術分野】
本発明は、包装容器に関するものである。
【０００２】
【従来の技術】
従来、牛乳、清涼飲料等の液体食品を収容する包装容器においては、包装容器本体の頂壁に、液体食品を注出するための蓋（ふた）体を装着したものが提供されている。
【０００３】
図２は従来の包装容器の要部を示す斜視図である。
【０００４】
図において、５０は包装容器、５１は樹脂、例えば、ポリエチレン樹脂によって一体成形された蓋体、５５は包材を成形することによって形成された包装容器５０の本体、すなわち、包装容器本体であり、該包装容器本体５５の頂壁５９に前記蓋体５１が装着される。
【０００５】
該蓋体５１は、ほぼ「Ｕ」字状の形状を有するフレーム６０、ヒンジ５４を中心にして前記フレーム６０に対して揺動自在に支持されたプルタブ５２、及び前記ヒンジ５４を中心にしてフレーム６０に対して揺動自在に支持され、かつ、プルタブ５２の回動に連動して回動させられる開封フラップ５３を有する。また、前記頂壁５９における前記開封フラップ５３に対応する位置に図示されない破断部が形成される。
【０００６】
したがって、前記プルタブ５２を引き上げて回動させると、プルタブ５２の回動に連動して開封フラップ５３が回動させられ、開封フラップ５３によって破断部が破断されて注出口が形成される。このようにして、包装容器５０を開封することができる。
【０００７】
そして、該包装容器５０を開封した後、前記プルタブ５２を反対方向に回動させると、開封フラップ５３は、該プルタブ５２の回動に連動することなく、図示されないストッパに係止させられ、そのまま注出口内に留まる。続いて、前記プルタブ５２をフレーム６０に向けて押し下げると、プルタブ５２の両縁に形成された係止爪と、該係止爪と対応させてフレーム６０に形成された図示されないプルタブ保持片とがスナップ係止される。このようにして、プルタブ５２がフレーム６０によって保持される。
【０００８】
ところが、前記蓋体５１において、前記フレーム６０は、唇を当てて包装容器５０内の液体食品を飲用することができるような形状にされているので、フレーム６０に唇を当てることなく、液体食品を注出口を介してグラス等に注出しようとすると、開封フラップ５３及びフレーム６０の形状によっては液体食品の流れが乱され、液体食品を円滑に注出することができない。
【０００９】
また、前記プルタブ５２を引き上げて回動させ、開封フラップ５３が回動させられることによって破断部が破断されるようになっているので、プルタブ５２を大きな力で引き上げる必要がある。したがって、開封に伴って包装容器５０内の液体食品が注出口を介して飛び出してしまうことがある。
【００１０】
そこで、液体食品を円滑に注出することができ、開封に伴って包装容器５０内の液体食品が注出口を介して飛び出してしまうことがないような注出装置としてキャップ装置が提供されている。
【００１１】
図３は従来の他の包装容器において注出口部分と蓋部分とを分離させた状態を示す斜視図である。
【００１２】
図において、６１は包材を成形することによって形成された包装容器本体であり、該包装容器本体６１における所定の位置にキャップ装置６２が装着され、包装容器本体６１及びキャップ装置６２によって包装容器６３が構成される。前記キャップ装置６２は、樹脂製の注出口部分６５、及び該注出口部分６５に対して着脱自在に配設された樹脂製の蓋部分６６を備え、前記注出口部分６５の外周に雄ねじ６７が、注出口部分６５の内側に両端が開口する注出口６８が、注出口部分６５の下端にフランジ部６９がそれぞれ形成され、前記蓋部分６６の内周に、前記雄ねじ６７と対応させて図示されない雌ねじが、蓋部分６６の上端に、前記注出口６８を覆う円板状の密封部７１がそれぞれ形成される。
【００１３】
そして、前記雄ねじ６７と雌ねじとを螺（ら）合させ、注出口部分６５と蓋部分６６とを互いに組み付けることによってキャップ装置６２が形成される。したがって、包装容器本体６１の頂壁７２の前端縁７４の近傍の所定の位置に形成された図示されない開口穴と注出口６８とを連通させて、前記フランジ部６９を頂壁７２に融着することによって、キャップ装置６２を包装容器本体６１に装着することができる。なお、前記頂壁７２には、中央部に帯状のシール部分７３が形成されるので、前記キャップ装置６２は、シール部分７３と前端縁７４との間の前半面７５に装着され、そのために、前記フランジ部６９は、前記前半面７５に収まるような横長の形状にされる。
【００１４】
前記キャップ装置６２において、前記蓋部分６６を回転させることによって包装容器６３を開封することができ、その後、蓋部分６６を注出口部分６５に対して取り付けたり、注出口部分６５から取り外したりすることによって、前記注出口６８を繰り返し開閉することができる（例えば、特許文献１参照。）。
【００１５】
この場合、包装容器６３内の液体食品を注出口６８を介してグラス等に注出しようとする場合に、液体食品の流れが乱されることがないので、液体食品を円滑に注出することができる。また、包装容器６３を開封する際に破断部を破断する必要がないので、開封に伴って包装容器６３内の液体食品が注出口６８を介して飛び出してしまうことがない。
【００１６】
【特許文献１】
特開２００１−１９０２２号公報
【００１７】
【発明が解決しようとする課題】
しかしながら、前記従来の包装容器６３においては、前記キャップ装置６２を前半面７５に装着する必要があるので、注出口部分６５を十分に大きくすることができず、その結果、注出口６８の径が小さくなってしまう。したがって、前記注出口部分６５に唇を当てて包装容器６３内の液体食品を飲用する際に、注出口６８の径が小さい分だけ唇をすぼめる必要があり、飲用するのが煩わしい。
【００１８】
また、フランジ部６９は、前半面７５に収まるような横長の形状にされるので、前記注出口部分６５に唇を当てて包装容器６３内の液体食品を飲用する際に、前端縁７４の包材に唇が当たり、飲用する人に違和感を与えてしまう。
【００１９】
本発明は、前記従来の包装容器の問題点を解決して、液体食品を注出口を介してグラス等に注出しようとする場合に、液体食品を円滑に注出することができ、包装容器を開封する際に液体食品が注出口を介して飛び出してしまうことがなく、注出口部分に唇を当てて液体食品を容易に飲用することができ、飲用する人に違和感を与えるのを防止することができる包装容器を提供することを目的とする。
【００２０】
【課題を解決するための手段】
そのために、本発明の包装容器においては、包材を成形することによって形成された包装容器本体と、両端が開口する注出口を備え、前記包装容器本体の頂壁に装着された注出口部分とを有する。
【００２１】
そして、該注出口部分は、前記注出口が内方に形成された筒状部、及び該筒状部の下端に形成され、前記頂壁に融着されたフランジ部を備える。また、該フランジ部の前端縁は、頂壁の前端縁より前方に突出させて形成される。
【００２２】
本発明の他の包装容器においては、さらに、前記頂壁に帯状のシール部分が形成される。そして、前記注出口部分は、前記頂壁におけるシール部分と前端縁との間の前半面に装着される。
【００２３】
本発明の更に他の包装容器においては、さらに、前記注出口部分に対して着脱自在に蓋部分が配設される。
【００２４】
本発明の更に他の包装容器においては、さらに、前記頂壁の前端縁の近傍の所定の位置に開口穴が形成される。そして、該開口穴と前記注出口とを連通させて前記注出口部分が装着される。
【００２５】
本発明の更に他の包装容器においては、さらに、前記フランジ部の前端縁は、所定の量だけ垂下させられる。
【００２６】
【発明の実施の形態】
以下、本発明の実施の形態について図面を参照しながら詳細に説明する。
【００２７】
図１は本発明の実施の形態における包装容器の斜視図、図４は本発明の実施の形態における包装容器において注出口部分と蓋部分とを分離させた状態を示す斜視図、図５は本発明の実施の形態における包装容器において蓋部分を取り外した状態を示す平面図である。
【００２８】
図において、２９は包装容器、３０は包装容器本体、８２は包装容器本体３０に装着された注出装置としてのキャップ装置であり、前記包装容器本体３０は、５個以上のコーナを備えた多角形の形状、本実施の形態においては、ほぼ八角形の形状の断面を有する胴部３１、該胴部３１から上方に向けて延び、下端がほぼ八角形の形状を有し、上端がほぼ四角形の形状を有する上端部３２、及び前記胴部３１から下方に向けて延び、上端がほぼ八角形の形状を有し、下端がほぼ四角形の形状を有する下端部３３を備える。前記胴部３１は、前壁３４、図示されない後壁、二つの側壁３５（図１においてはそのうちの一つの側壁３５だけを示す。）、並びに前記前壁３４と各側壁３５との間、及び後壁と各側壁３５との間に配設された四つの胴部連結壁３６（図１においてはそのうちの一つの胴部連結壁３６だけを示す。）から成る。前記前壁３４、後壁、側壁３５及び胴部連結壁３６は、いずれも矩（く）形の形状を有する。
【００２９】
また、前記上端部３２は、頂壁３７、頂壁３７と前記前壁３４とを連結する前壁３８、頂壁３７と胴部３１の後壁とを連結する図示されない後壁、頂壁３７と各側壁３５とを連結する側壁３９（図１においてはそのうちの一つの側壁３９だけを示す。）、及び頂壁３７と各胴部連結壁３６とを連結する連結壁４０（図１においてはそのうちの一つの連結壁４０だけを示す。）から成る。そして、前記前壁３８、上端部３２の後壁及び側壁３９は、いずれも上底が下底より長い台形の形状を有し、前記連結壁４０は頂壁３７に一つの頂点を置いた三角形の形状を有する。なお、前記頂壁３７における前端縁９４（前壁３８の上底を構成する。）の近傍の所定の位置には、パンチ穴によって、液体食品を注出するための図示されない開口穴が形成される。
【００３０】
また、前記下端部３３は、底壁４１、底壁４１と前記前壁３４とを連結する前壁４２、底壁４１と前記胴部３１の後壁とを連結する図示されない後壁、底壁４１と各側壁３５とを連結する側壁４３（図１においてはそのうちの一つの側壁４３だけを示す。）、及び底壁４１と各胴部連結壁３６とを連結する連結壁４４（図１においてはそのうちの一つの連結壁４４だけを示す。）から成る。そして、前記前壁４２、下端部３３の後壁及び側壁４３は、いずれも上底が下底より短い台形の形状を有し、前記連結壁４４は底壁４１に一つの頂点を置いた三角形の形状を有する。なお、４６は頂壁３７の中央部に形成された帯状のシール部分、４７は耳部であり、該耳部４７は側壁３９に融着させられる。
【００３１】
前記包装容器本体３０は包材を成形することによって形成される。そのために、包材にあらかじめ折り目が形成され、該折り目に沿って包材を折り曲げることによって原型容器が形成される。続いて、該原型容器に所定の成形加工が施され、最終形状の包装容器本体３０が形成される。前記包材は、可撓（とう）性を有する積層体から成り、図示されない紙基材、該紙基材の表面に被覆されたポリエチレン樹脂等から成る最外層、前記紙基材の裏面に被覆されたガスバリヤ性を有する図示されないバリヤ層、及び該バリヤ層の裏面に被覆されたポリエチレン樹脂等から成る図示されない最内層を備える。
【００３２】
また、前記キャップ装置８２は、主要部が円筒形の形状を有し、頂壁３７に融着された注出口部分８５、及び該注出口部分８５に対して着脱自在に配設された有底カップ状の蓋部分８６を備え、ポリエチレン、ポリプロピレン（ＰＰ）、ポリエステル（ＰＥＴ）等の樹脂によって形成される。前記注出口部分８５は、外周に雄ねじ８７が形成され、内方に両端が開口する注出口８８が形成された筒状部９２、及び該筒状部９２の下端に形成され、頂壁３７に融着されたフランジ部８９を備える。また、前記蓋部分８６は、内周に前記雄ねじ８７と対応させて図示されない雌ねじが形成された筒状部９３、及び該筒状部９３の上端に形成され、前記注出口８８を覆う円板状の密封部９１を備える。
【００３３】
なお、必要に応じて、筒状部９３とフランジ部８９との間に、破断部を介して図示されないいたずら防止リングが形成される。
【００３４】
そして、前記雄ねじ８７と雌ねじとを螺合させ、注出口部分８５と蓋部分８６とを互いに組み付けることによってキャップ装置８２が形成される。したがって、前記開口穴と注出口８８とを連通させて、前記フランジ部８９を頂壁３７に融着することによって、キャップ装置８２を包装容器本体３０に装着することができる。
【００３５】
ところで、前記頂壁３７には、中央部にシール部分４６が形成されるので、前記キャップ装置８２は、シール部分４６と前端縁９４との間の前半面９５において、フランジ部８９の前端縁９６を前端縁９４より前方に突出させて、かつ、所定の量だけ垂下させて装着される。
【００３６】
前記キャップ装置８２において、前記蓋部分８６を回転させることによって包装容器２９を開封することができ、その後、蓋部分８６を注出口部分８５に対して取り付けたり、注出口部分８５から取り外したりすることによって、前記注出口８８を繰り返し開閉することができる。
【００３７】
この場合、包装容器２９内の液体食品を注出口８８を介して図示されないグラス等に注出しようとする場合に、液体食品の流れが乱されることがないので、液体食品を円滑に注出することができる。また、包装容器２９を開封する際に破断部を破断する必要がないので、開封に伴って包装容器２９内の液体食品が注出口８８を介して飛び出してしまうことがない。
【００３８】
そして、前記キャップ装置８２は、フランジ部８９の前端縁９６を頂壁３７の前端縁９４より前方に突出させて装着されるので、前端縁９６からシール部分４６までの距離を長くすることができ、注出口部分８５をその分大きくすることができる。その結果、注出口８８の径を大きくすることができる。
【００３９】
また、前記注出口部分８５に唇を当てて包装容器２９内の液体食品を飲用する際に、唇をすぼめる必要がなくなるので、飲用するのが容易になる。しかも、注出口８８における流量率を、従来のキャップ装置６２（図３参照）と比較して６５〔％〕程度高くすることができるので、液体食品を十分に、かつ、円滑に飲用することができる。
【００４０】
また、前記前端縁９６が前端縁９４より前方に突出させられるので、前記注出口部分８５に唇を当てて包装容器２９内の液体食品を飲用する際に、唇が包材には当たらず、前端縁９６に当たることになる。したがって、飲用する人に違和感を与えるのを防止することができる。
【００４１】
しかも、前記前端縁９６が所定の量だけ垂下させられるので、飲用する人に違和感を与えるのを一層防止することができる。
【００４２】
本実施の形態においては、頂壁３７に、あらかじめ開口穴が形成されるようになっているが、プレラミホール、ミシン目等によってあらかじめ破断部を形成し、注出口８８内に所定のプルタブを形成しておき、蓋部分８６を注出口部分８５から取り外した後、プルタブを引き上げることによって、前記破断部を破断させ、開口穴を形成することもできる。
【００４３】
また、本実施の形態においては、注出口装置として、注出口部分８５及び蓋部分８６から成るキャップ装置８２が包装容器本体３０に装着されるようになっているが、注出口装置を注出口部分だけで構成し、注出口部分だけを包装容器本体３０に装着することができる。その場合、注出口部分の筒状部の外周に雄ねじを形成する必要はない。
【００４４】
なお、本発明は前記実施の形態に限定されるものではなく、本発明の趣旨に基づいて種々変形させることが可能であり、それらを本発明の範囲から排除するものではない。
【００４５】
【発明の効果】
以上詳細に説明したように、本発明によれば、包装容器においては、包材を成形することによって形成された包装容器本体と、両端が開口する注出口を備え、前記包装容器本体の頂壁に装着された注出口部分とを有する。
【００４６】
そして、該注出口部分は、前記注出口が内方に形成された筒状部、及び該筒状部の下端に形成され、前記頂壁に融着されたフランジ部を備える。また、該フランジ部の前端縁は、頂壁の前端縁より前方に突出させて形成される。
【００４７】
この場合、注出口部分に注出口が形成されるので、液体食品を注出口を介してグラス等に注出しようとする場合に、液体食品の流れが乱されることがない。したがって、液体食品を円滑に注出することができる。そして、包装容器を開封する際に破断部を破断する必要がないので、開封に伴って包装容器内の液体食品が注出口を介して飛び出してしまうことがない。
【００４８】
また、フランジ部の前端縁が、頂壁の前端縁より前方に突出させて形成されるので、注出口部分をその分大きくすることができる。その結果、注出口の径を大きくすることができる。
【００４９】
そして、前記注出口部分に唇を当てて包装容器内の液体食品を飲用する際に、唇をすぼめる必要がなくなるので、飲用するのが容易になるだけでなく、液体食品を十分に、かつ、円滑に飲用することができる。
【００５０】
また、フランジ部の前端縁が頂壁の前端縁より前方に突出させられるので、前記注出口部分に唇を当てて包装容器の液体食品を飲用する際に、唇が包材には当たらず、フランジ部の前端縁に当たることになる。したがって、飲用する人に違和感を与えるのを防止することができる。
【００５１】
本発明の他の包装容器においては、さらに、前記フランジ部の前端縁は、所定の量だけ垂下させられる。
【００５２】
この場合、前記フランジ部の前端縁が所定の量だけ垂下させられるので、飲用する人に違和感を与えるのを一層防止することができる。
【図面の簡単な説明】
【図１】本発明の実施の形態における包装容器の斜視図である。
【図２】従来の包装容器の要部を示す斜視図である。
【図３】従来の他の包装容器において注出口部分と蓋部分とを分離させた状態を示す斜視図である。
【図４】本発明の実施の形態における包装容器において注出口部分と蓋部分とを分離させた状態を示す斜視図である。
【図５】本発明の実施の形態における包装容器において蓋部分を取り外した状態を示す平面図である。
【符号の説明】
２９    包装容器
３０    包装容器本体
３７    頂壁
４６    シール部分
８５    注出口部分
８６    蓋部分
８８    注出口
８９    フランジ部
９２    筒状部
９４、９６    前端縁
９５    前半面
【図１】
2004359321.tif 000003
【図２】
2004359321.tif 000004
【図３】
2004359321.tif 000005
【図４】
2004359321.tif 000006
【図５】
2004359321.tif 000007